(57)【要約】  【課題】２次フィルター体の塵埃を確実に回収することが出来る乾燥機を提供する。  【解決手段】外気取り入れ口から外気を吸引し衣類を収納する内槽（図示せず）内に送風し排気口（図示せず）より排気する送風機（図示せず）と、外気取り入れ口１４に固着された２次枠体２１ａに固着された２次フィルター２１ｂより成る２次フィルター体２１と、２次フィルター体２１と対向するように本体１に挿着される１次フィルター体２２を備え、１次フィルター体２２を本体１に装着したときに、先端が２次フィルター２１ｂの奥側端部に当接する除塵ブラシ体２４を１次フィルター体２２に設け、除塵ブラシ体２４にて１次フィルター体２２の下流面側を塵埃前収納部２３ａと塵埃後収納部２３ｂに分割したもので、１次フィルター体２２の本体１への抜き差し時に、２次フィルター体２１が除塵され、塵埃を塵埃前収納部２３ａと塵埃後収納部２３ｂとで確実に受けられる。【選択図】図５
2010005097.tif 000002
【特許請求の範囲】
【請求項１】
外気取り入れ口と排気口を有する略直方体の本体に、被乾燥物を収納する内槽と、前記内槽を収納する外槽と、前記外気取り入れ口と前記排気口を連通する連通路と、前記連通路内に配され、前記外気取り入れ口から外気を吸引し前記内槽内に送風し前記排気口より排気する送風機と、前記外気取り入れ口に配され塵埃を捕集する捕集フィルター体とを備え、前記捕集フィルター体は、前記本体に固着された２次枠体と前記２次枠体に固着された２次フィルターより成る２次フィルター体と、前記２次フィルター体と対向するように前記本体に抜き差し自在に挿着されると共に取っ手を有する１次枠体と前記一次枠体の上流面に固着された１次フィルターとからなる１次フィルター体より構成され、前記１次フィルター体を前記本体に装着したときに、先端が前記２次フィルターの奥側端部に当接する除塵ブラシ体を前記１次フィルター体の下流面側に設け、前記１次フィルター体を前記本体から抜き差しする時に前記２次フィルターの一端から他端に移動しながら除塵すると共に、前記除塵ブラシ体にて前記１次フィルター体の下流面側を塵埃前収納部と塵埃後収納部に分割したことを特徴とする乾燥機。  
【請求項２】
外気取り入れ口と排気口を有する略直方体の本体に、被乾燥物を収納する内槽と、前記内槽を収納する外槽と、前記外気取り入れ口と前記排気口を連通する連通路と、前記連通路内に配され、前記外気取り入れ口から外気を吸引し前記内槽内に送風し前記排気口より排気する送風機と、前記外気取り入れ口に配され塵埃を捕集する捕集フィルター体とを備え、前記捕集フィルター体は、前記本体に固着された２次枠体と前記２次枠体に固着された２次フィルターより成る２次フィルター体と、前記２次フィルター体と対向するように前記本体に着脱自在に挿着されると共に１次枠体と前記一次枠体の上流面に固着された１次フィルターとからなる１次フィルター体と、前記２次フィルターの一端から他端にかけて移動自在に１次フィルター体に設けられ前記２次フィルター体に付着した塵埃を除去する除塵ブラシ体から構成され、前記除塵ブラシ体の一部を、前記１次枠体の外表面に露出させたことを特徴とする乾燥機。
【請求項３】
１次枠体の外表面に露出した除塵ブラシ体の一部を取っ手とした請求項２に記載の乾燥機。
【請求項４】
除塵ブラシ体を、１次フィルター体に着脱自在としたことを特徴とする請求項１乃至３のいずれか１項に記載の乾燥機。
【請求項５】
捕集フィルター体を、本体の上面又は正面に配置したことを特徴とする請求項１〜４のいずれか１項に記載の乾燥機。
【発明の詳細な説明】
【技術分野】
【０００１】
本発明は、乾燥機に関するものである。
【背景技術】
【０００２】
従来のこの種の乾燥機として、図１８に示すようなものがある（例えば、特許文献１参照）。図１８は、上記特許文献１に記載された乾燥機の熱風循環路の部分断面図である。
【０００３】
図１８において、熱風循環路５１の一部に、循環する空気を加熱するヒータ５２を設け、そのヒータ５２の上流側に、ヒータ５２側から、２次フィルター体５４と、熱風循環路５１に挿抜可能な１次フィルター体５３が順に設けられ、１次フィルター体５３を熱風循環路５１より抜き差ししたときに、２次フィルター体５４の上流側の表面に接触するブラシ部材５５を、１次フィルター体５３の下流面の奥側端部に設けたものである。
【０００４】
以上のように構成された従来の乾燥機の動作は、以下の通りである。ヒータ５２で加熱された空気は、図示しない送風機によって、図示しない乾燥室に収納された衣類に吹き付けられ、その衣類から発生した蒸気を含んだ空気は、図示しない凝縮機に流入しそこで、蒸気は凝縮されて回収されると共に、乾いた空気が、熱風循環路５１を通って、１次フィルター体５３に至る。そして１次フィルター体５３で、比較的大きな塵埃が捕捉され、１次フィルター体５３を通り抜けた細塵は、２次フィルター体５４で捕捉され、きれいになった空気が、ヒータ５２で再び加熱され、これがまた乾燥室に送られるという動作を繰り返しながら、衣類の乾燥を行うようになっている。
【０００５】
そして、１次フィルター体５３が目詰まりしたときは、１次フィルター体５３を熱風循環路５１より抜き出し、ブラシ等を用いて清掃を行い、清掃後、１次フィルター体５３を熱風循環路５１に挿入するようにする。又、１次フィルター体５３を熱風循環路５１から挿抜する際に、１次フィルター体５３に設けたブラシ部材５５が２次フィルター体５４の上流側表面に接触しながら移動して、２次フィルター体５４に付着した塵埃が除去され、１次フィルター体５３上に落下して、２次フィルター体５４の清掃が自動的に行われるようになっている。
【特許文献１】実願平４−０５０９０７号（実開平６−００３２９９号公報）のマイクロフイルム
【発明の開示】
【発明が解決しようとする課題】
【０００６】
しかしながら上記従来の乾燥機の構成では、一般に軟質材で形成されたブラシ部材５５が１次フィルター体５３の後端側に形成されているために、１次フィルター体５３を熱風循環路５１から取外す際に、図１９（ａ）に示すように、ブラシ部材５５が１次フィルター体３を引き出す方向と逆方向に屈曲する。
【０００７】
このため、ブラシ部材５５の先端部に附着した塵埃の一部が、１次フィルター体５３を引き出す際の振動等により、１次フィルター体５３を引き出す方向と反対側に、すなわち、１次フィルター体５３上ではなく、熱風循環路５１内に落下してしまう、という課題があった。また、１次フィルター体５３の清掃後、それを熱風循環路１に取付ける際は、図１９（ｂ）に示すように、２次フィルター体５４に取り残されていた塵埃が、ブラシ部材５５の先端で押されて、やはり熱風循環路５１内に落下してしまう、という課題があった。
【０００８】
本発明は、上記従来の課題を解決するもので、通風路内に塵埃を落下させること無く、２次フィルター体の塵埃を確実に１次フィルター体に落下させ、確実に塵埃を回収、廃棄することが出来る乾燥機を提供することを目的とするものである。
【課題を解決するための手段】
【０００９】
前記従来の課題を解決するために、本発明の洗濯機は、外気取り入れ口と排気口を有する略直方体の本体に、被乾燥物を収納する内槽と、前記内槽を収納する外槽と、前記外気取り入れ口と前記排気口を連通する連通路と、前記連通路内に配され、前記外気取り入れ口から外気を吸引し前記内槽内に送風し前記排気口より排気する送風機と、前記外気取り入れ口に配され塵埃を捕集する捕集フィルター体とを備え、前記捕集フィルター体は、前記本体に固着された２次枠体と前記２次枠体に固着された２次フィルターより成る２次フィルター体と、前記２次フィルター体と対向するように前記本体に抜き差し自在に挿着されると共に取っ手を有する１次枠体と前記一次枠体の上流面に固着された１次フィルターとからなる１次フィルター体より構成され、前記１次フィルター体を前記本体に装着したときに、先端が前記２次フィルターの奥側端部に当接する除塵ブラシ体を前記１次フィルター体の下流面側に設け、前記１次フィルター体を前記本体から抜き差しする時に前記２次フィルターの一端から他端に移動しながら除塵すると共に、前記除塵ブラシ体にて前記１次フィルター体の下流面側を塵埃前収納部と塵埃後収納部に分割したもので、乾燥用に吸引される空気中に含まれる浮遊粉塵を確実にキャッチするために捕集フィルター体を設けるが、１次フィルター体が本体に抜き差し自在に装着されているので、捕集された塵埃を１次フィルターから取り除く清掃作業を、例えばゴミ箱の近傍でも容易に行うことができる。万一、１次フィルターを誤って無くしたり、装着し忘れることがあっても、２次フィルター体が本体に固着されているので、塵埃の本体内への侵入を確実に防止できる。また本体から１次フィルター体を抜き差しする際に、除塵ブラシ体により２次フィルター体の清掃作業が自動的に行われるので、清掃作業が容易である。さらに、屈曲自在の除塵ブラシ体が２次フィルター体の後端部から先端部間を移動する際、除塵ブラシ体が撓むので、除塵ブラシ体の進行方向の前後に塵埃が落下するが、１次フィルター体の除塵ブラシ体の前後に塵埃前収納部と塵埃後収納部を形成しているので、２次フィルター体から落下してきた塵埃を確実に１次フィルター体内に収納することが出来る。
【００１０】
又、本発明の乾燥機は、外気取り入れ口と排気口を有する略直方体の本体に、被乾燥物を収納する内槽と、前記内槽を収納する外槽と、前記外気取り入れ口と前記排気口を連通する連通路と、前記連通路内に配され、前記外気取り入れ口から外気を吸引し前記内槽内に送風し前記排気口より排気する送風機と、前記外気取り入れ口に配され塵埃を捕集する捕集フィルター体とを備え、前記捕集フィルター体は、前記本体に固着された２次枠体と前記２次枠体に固着された２次フィルターより成る２次フィルター体と、前記２次フィルター体と対向するように前記本体に着脱自在に挿着されると共に１次枠体と前記一次枠体の上流面に固着された１次フィルターとからなる１次フィルター体と、前記２次フィルターの一端から他端にかけて移動自在に１次フィルター体に設けられ前記２次フィルター体に付着した塵埃を除去する除塵ブラシ体から構成され、前記除塵ブラシ体の一部を、前記１次枠体の外表面に露出させたもので、１次フィルター体が本体に着脱自在に設けられているので、１次フィルター体の清掃が容易である。また、２次フィルター体が目詰まりしてきたときは、１次フィルター体を本体から取り外す前に、前記１次枠体の外表面に露出した除塵ブラシ体の一部を掴んで往復移動させることにより、手を汚さず、２次フィルター体に付着していた塵埃を確実に除去し、１次フィルター体内に回収することが出来るので、２次フィルターの清掃、塵埃の廃棄が容易である。
【発明の効果】
【００１１】
本発明の乾燥機は、通風路内に塵埃を落下させること無く、２次フィルター体の塵埃を、確実に１次フィルター体に回収し、容易に廃棄することが出来る乾燥機を提供することを目的とするものである。
【発明を実施するための最良の形態】
【００１２】
第１の発明は、外気取り入れ口と排気口を有する略直方体の本体に、被乾燥物を収納する内槽と、前記内槽を収納する外槽と、前記外気取り入れ口と前記排気口を連通する連通路と、前記連通路内に配され、前記外気取り入れ口から外気を吸引し前記内槽内に送風し前記排気口より排気する送風機と、前記外気取り入れ口に配され塵埃を捕集する捕集フィルター体とを備え、前記捕集フィルター体は、前記本体に固着された２次枠体と前記２次枠体に固着された２次フィルターより成る２次フィルター体と、前記２次フィルター体と対向するように前記本体に抜き差し自在に挿着されると共に取っ手を有する１次枠体と前記一次枠体の上流面に固着された１次フィルターとからなる１次フィルター体より構成され、前記１次フィルター体を前記本体に装着したときに、先端が前記２次フィルターの奥側端部に当接する除塵ブラシ体を前記１次フィルター体の下流面側に設け、前記１次フィルター体を前記本体から抜き差しする時に前記２次フィルターの一端から他端に移動しながら除塵すると共に、前記除塵ブラシ体にて前記１次フィルター体の下流面側を塵埃前収納部と塵埃後収納部に分割したもので、乾燥用に吸引される空気中に含まれる浮遊粉塵を確実にキャッチするために捕集フィルター体を設けるが、１次フィルター体が本体に抜き差し自在に装着されているので、捕集された塵埃を１次フィルターから取り除く清掃作業を、例えばゴミ箱の近傍でも容易に行うことができる。万一、１次フィルターを誤って無くしたり、装着し忘れることがあっても、２次フィルター体が本体に固着されているので、塵埃の本体内への侵入を確実に防止できる。また本体から１次フィルター体を抜き差しする際に、除塵ブラシ体により２次フィルター体の清掃作業が自動的に行われるので、清掃作業が容易である。さらに、屈曲自在の除塵ブラシ体が２次フィルター体の後端部から先端部間を移動する際、除塵ブラシ体が撓むので、除塵ブラシ体の進行方向の前後に塵埃が落下するが、１次フィルター体の除塵ブラシ体の前後に塵埃前収納部と塵埃後収納部を形成しているので、２次フィルター体から落下してきた塵埃を確実に１次フィルター体内に収納することが出来る。
【００１３】
第２の発明は、外気取り入れ口と排気口を有する略直方体の本体に、被乾燥物を収納する内槽と、前記内槽を収納する外槽と、前記外気取り入れ口と前記排気口を連通する連通路と、前記連通路内に配され、前記外気取り入れ口から外気を吸引し前記内槽内に送風し前記排気口より排気する送風機と、前記外気取り入れ口に配され塵埃を捕集する捕集フィルター体とを備え、前記捕集フィルター体は、前記本体に固着された２次枠体と前記２次枠体に固着された２次フィルターより成る２次フィルター体と、前記２次フィルター体と対向するように前記本体に着脱自在に挿着されると共に１次枠体と前記一次枠体の上流面に固着された１次フィルターとからなる１次フィルター体と、前記２次フィルターの一端から他端にかけて移動自在に１次フィルター体に設けられ前記２次フィルター体に付着した塵埃を除去する除塵ブラシ体から構成され、前記除塵ブラシ体の一部を、前記１次枠体の外表面に露出させたもので、１次フィルター体が本体に着脱自在に設けられているので、１次フィルター体の清掃が容易である。また、２次フィルター体が目詰まりしてきたときは、１次フィルター体を本体から取り外す前に、前記１次枠体の外表面に露出した除塵ブラシ体の一部を掴んで往復移動させることにより、手を汚さず、２次フィルター体に付着していた塵埃を確実に除去し、１次フィルター体内に回収することが出来るので、２次フィルターの清掃、塵埃の廃棄が容易である。
【００１４】
第３の発明は、特に、第２の発明の１次枠体の外表面に露出した除塵ブラシ体の一部を取っ手としたもので、２次フィルター体を清掃するときは、取っ手を掴んで行えると共に、清掃後は、持ちかえること無くその取っ手を持ったまま、本体より１次フィルター体を外すことが出来るので、清掃、取り外し、塵埃の廃棄が簡単に出来る。
【００１５】
第４の発明は、特に、第１〜３のいずれか一つの発明の除塵ブラシ体を、１次フィルター体に着脱自在としたもので、除塵ブラシ体が磨耗したときに、簡単にそれが交換できるので、便利であると共に、清掃する際も除塵ブラシ体のみ簡単に取り外して、容易に水洗い等も出来る。
【００１６】
第５の発明は、特に、第１〜４のいずれか一つの発明の捕集フィルター体を、本体の上面又は正面に配置したもので、本体の上面又は正面は目に付きやすいので、捕集フィルター体への塵埃付着具合のチェックがいつでも手軽にでき、必要に応じて塵埃の処理、廃棄が確実におこなわれるようになるので、捕集フィルター体の目詰まりによる外気導入阻害が防止できる。特に、捕集フィルター体を、乾燥機の運転を操作する操作部の近傍に設ければ、常に使用者は見るために、汚れ具合が良く判るものである。
【００１７】
以下、本発明の実施例について、図面を参照しながら説明する。なお、この実施例によって本発明が限定されるものではない。
【００１８】
（実施例１）
【００１９】
以下、本発明の第1の実施例における乾燥機について、洗濯機能も備えた洗濯乾燥機を例に、説明する。図１は、本実施例における洗濯乾燥機の斜視図、図２は、同洗濯乾燥機の縦断面図、図３は、同洗濯乾燥機の外気取り入れ口の拡大斜視図、図４は、同洗濯乾燥機の１次フィルター体の斜視図、図５は、同洗濯乾燥機の捕集フィルター体の縦断面図、図６は、同１次フィルター体を本体から外すときの状態を示す縦断面図、図７は、同１次フィルターを本体に装着するときの状態を示す縦断面図である。
【００２０】
図１〜７において、１は、正面１ａと、側面１ｂと、背面１ｃ及び上面１ｄを有する略直方体の本体で、上面１ｄには、手掛け部２ａと排気口２ｂを有する開閉自在の外蓋２と、本実施の形態における洗濯乾燥機の運転や停止等を行うための操作部３が形成されている。
【００２１】
本体１内には、図示しない吊り下げ手段で揺動自在に吊り下げられた外槽４と、外槽４の上面開口４ａを覆うと共に略中央に通過口５ａを有する中蓋５と、外槽４内に回転自在に支持され上面開口で外周囲に多数の排水孔７ａを有すると共に、被乾燥物である衣類６を収納する内槽７と、内槽７の底部に回転自在に支持された回転翼８と、内槽７と回転翼８を回転させるモーター９と、該モーター９の回転力を必要に応じて、内槽７と回転翼８に伝達するクラッチ１０と、水道水を内槽７内に供給する導水管１１と、外槽４内の洗濯水やすすぎ水を排水する排水管１２と、排水管１２の途中に設けられ、排水を制御する電磁弁１３が収納されている。
【００２２】
内槽７の上端には、円環状で、脱水運転時の衣類６の偏りなどに起因する内槽７の回転アンバランスを吸収するためのバランサー７ｂが設けられている。
【００２３】
さらに、本体１の上面１ｄの操作部３近傍には、外気取り入れ口１４が設けられ、その、外気取り入れ口１４には、捕集フィルター体１６が設けられ、該捕集フィルター体１６の内側には、外気取り入れ口１４と排気口２ｂを連通する連通路１ｆの一部を形成すると共に、一端が外槽４に接続され、捕集フィルター体１６と外槽４を連通する送風路１７が設けられ、該送風路１７内には、外気を捕集フィルター体１６を通して吸引し、外槽４や内槽７に送風させ、さらに通過口５ａを通して、外蓋２に設けた排気口２ｂから排気させるための送風機１８と、吸引された外気を加熱して所定温度の温風にするヒーター１９が内装されている。
【００２４】
２０は、内槽７内の温度や湿度を検知するセンサーで、該センサー２０で検知した温度や湿度のデータにより、ヒーター１９や送風機１８の運転を制御する制御体（図示せず）も本体１に内装されている。捕集フィルター体１６は、本体１に固着された２次フィルター体２１と、２次フィルター体２１と対向するように本体１に抜き差し自在に挿着される１次フィルター体２２より構成されている。２次フィルター体２１は、本体１に固着され略平板状に形成された２次枠体２１ａと、外周囲が、２次枠体２１ａで支持された２次フィルター２１ｂから構成されている。
【００２５】
１次フィルター体２２は、略直方体に構成され上部に取っ手２２ａを形成し、一端面に開口部２２ｂを有する塵埃収納室２３が形成された１次枠体２２ｃと、１次フィルター体２２が本体１に装着されたときに、２次フィルター体２１に対面するように１次枠体２２ｃの他端面、すなわち上流面に固着され、吸引される外気に含まれた塵埃を捕集する１次フィルター２２ｄから構成されている。
【００２６】
１次フィルター２２ｄの大きさは、全体的に２次フィルター２１ｂの平面的な面積より大きく形成されている。1次枠体２２ｃの両外側面には、ガイドリブ２２ｅが設けられ、本体１の外気取り入れ口１４に形成されたガイド溝１ｅに挿入自在に支持されていて、1次フィルター体２２が本体１に着脱自在に装着できるようになっている。
【００２７】
２４は、１次枠体２２ｃの開口部２２ｂを横断するように設けられ、屈曲自在に形成されたブラシ２４ａと、該ブラシ２４ａの根元部を保持するブラシ台２４ｂより構成された除塵ブラシ体で、ブラシ台２４ｂは、１次枠体２２ｃの両側の内壁に設けたブラシ台支持リブ２２ｆに取り付けられている。
【００２８】
除塵ブラシ体２４のブラシ２４ａの先端部は、ブラシ台２４ｂの下方に設けられた押圧用のバネ体２５により、所定圧力で２次フィルター２１ｂの上流面の後端部２１ｃの全幅に当接している。本実施例では、塵埃収納室２３を、除塵ブラシ体２４で、前側に位置し２次フィルター２１ｂと対面する塵埃前収納室２３ａと、後ろ側に位置し、２次フィルター２１ｂの後端部２１ｃより所定の距離だけさらに後方まで延在する塵埃後収納室２３ｂとに分割している。これにより、除塵ブラシ体２４で除塵された塵埃を、塵埃前収納室２３ａ、塵埃後収納室２３ｂのいずれかに確実に収納することができる。
【００２９】
尚、塵埃前収納室２３ａと塵埃後収納室２３ｂは、ブラシ台２４ｂの下端と１次フィルター２２ｄ間の空間を介して連通しているので、収納された塵埃は、区分けされず、下方に位置する塵埃後収納室２３ｂに集まり、収納された塵埃が、２次フィルター体２１に再付着しにくいものとなっている。
【００３０】
特に、１次フィルター２２ｄの塵埃後収納室２３ｂに位置する部分を１次枠体２２ｃの一部で塞ぐようにすれば、外気が通過しないので、外気流による２次フィルター２１ｂへの塵埃の再附着を防止することができる。
【００３１】
また、塵埃処理の際、塵埃後収納室２３ｂの１次フィルター２２ｄの細径穴に塵埃が入り込むことが無く、その分離が容易と成り、作業が簡単と成る。また、２次フィルター２１ｂを構成する外気通過細径穴の大きさを、１次フィルター２２ｄを構成する外気通過細径穴より小さく形成することで、１次フィルター２２ｄを通過した塵埃を確実に捕集することができる。
【００３２】
以上のように構成された本実施の形態における洗濯乾燥機の動作、作用は、以下の通りである。
【００３３】
内槽７に、衣類６と必要量の洗剤を投入し、外蓋２を閉じて、操作部３で、洗濯量や、洗濯時間などを設定し、運転を開始すると、導水管１１より水道水が、内槽７内に供給される。内槽７の側壁には排水孔７ａが設けられているので、実際には、水は、外槽４内に溜まり、所定の水位に達すると、洗濯運転が開始する。この洗濯運転時には、クラッチ１０が、回転翼８側に切り替わって、モーター９の動力が回転翼８に伝達され、回転翼８が正転、反転を繰り返す。
【００３４】
洗濯運転が終了すると、電磁弁１３が開いて、外槽４内の洗濯水が、排水管１２を通して外部に排水される。洗濯水の排水が終わると、クラッチ１０が、内槽７側に切り替わり、モーター９により内槽７が高速回転し、所定の時間脱水運転が行われる。この脱水運転の間も、電磁弁１３は開いている。脱水運転が終了すると、電磁弁１３が閉じられ、導水管１１より水道水が再び供給され、所定の水位に達すると、すすぎ運転が開始する。すすぎ運転時には、回転翼８が、洗濯運転時と同様に正転、反転する。すすぎ運転が終了すると、電磁弁１３が開いて、外槽４内のすすぎ水が、排水管１２を通して外部に排水され、続いて、脱水運転が行われる。この後、更に１回又は２回のすすぎ運転、脱水運転が行われる。
【００３５】
次に、乾燥運転について説明する。使用者が再び操作部３を操作して、乾燥運転を開始すると、送風機１８と、ヒータ１９に通電され、外気が、外気取り入れ口１４に設けた１次フィルター体２２、２次フィルター体２１を通して吸引され、ヒータ１９で加熱されて生成された温風が送風路１７を通って、内槽７内の衣類６に吹き付けられる。この間、クラッチ１０は、回転翼８側に切り替えられ、回転翼８が勢い良く正転、反転を繰り返して、衣類６を上方に放り投げるような動作をし、送風路１７から吹き出される温風が効率よく衣類６に当たるようにしている。
【００３６】
そして、衣類６から出た蒸気を含んだ空気は、中蓋５の通過口５ａ、外蓋２の排気口２ｂを通って、外部に排出されるようになっている。この乾燥運転の間、吸引される外気に含まれる塵埃の内、大きな塵埃は、１次フィルター体２２で捕捉され、１次フィルター体２２を通過した細塵は２次フィルター体２１で確実に捕捉され、衣類６に常にきれいな温風が当たるようになっている。
【００３７】
この乾燥運転を、センサー２０で検知される温度や湿度が所定の値に到達するまで繰り返した後、自動的に停止される。このような洗濯、乾燥運転を幾度と無く繰り返していると、捕集フィルター体１６に塵埃が堆積し、外気の侵入が阻止されて、乾燥効率が低下してくるので、定期的に１次フィルター体２２や、２次フィルター体２１を清掃する必要がある。
【００３８】
この時、１次フィルター体２２の汚れ具合は、本体１の上方でかつ操作部３の近傍に１次フィルター体２２を設けているので、使用者にとっては、常に目で確認できるので、清掃作業が必要か否か容易に判断することが出来る。
【００３９】
清掃作業を行う時は、図６に示すように、取っ手２２ａを持ち、上方に引き上げると、１次フィルター体２２のバックアップ用に本体１に取り付けてある２次フィルター体２１の２次フィルター２１ｂで捕集された塵埃が、２次フィルター２１ｂの後端部２１ｃから先端部２１ｄに向け除塵ブラシ体２４のブラシ２４ａにより除塵され、１次フィルター体２２の開口部２２ｂより内部に落下収納される。
【００４０】
このときに、１次フィルター体２２には、塵埃前収納室２３ａと塵埃後収納室２３ｂが設けられているので、除塵ブラシ体２４の上下どちらでも塵埃を収納できるので、塵埃を確実に収納することができる。そして、１次フィルター体２２を本体１から取り出し、１次フィルター２２ｄに付着した塵埃を処理すると共に、塵埃前収納室２３ａと塵埃後収納室２３ｂの塵埃を、開口部２２ｂより捨て去れば、容易に清掃作業が完了する。
【００４１】
１次フィルター体２２の清掃を終えたら、図７に示すように、１次枠体２２ｃの両側に形成されたガイドリブ２２ｅを、本体１に設けたガイド溝１ｅに合致させて、押し込むことにより、除塵ブラシ体２４が、２次フィルター２１ｂに取り残された塵埃を、今度は、先端部２１ｄから後端部２１ｃにかけて徐々に除塵を行い、塵埃前収納室２３ａと塵埃後収納室２３ｂに塵埃を確実に収納することが出来る。
【００４２】
以上のように、本実施例によれば、１次フィルター体２２が本体１に抜き差し自在に装着されているので、捕集された塵埃を１次フィルター２２ｄから取り除く清掃作業を、例えばゴミ箱の近傍でも容易に行うことができる。万一、１次フィルター体２２を誤って無くしたり、装着し忘れることがあっても、２次フィルター体２１が本体１に固着されているので、塵埃の本体１内への侵入を確実に防止できる。
【００４３】
また本体１から１次フィルター体２２を抜き差しする際に、除塵ブラシ体２４により２次フィルター体２１の清掃作業が自動的に行われるので、清掃作業が容易である。さらに、屈曲自在の除塵ブラシ体２４が２次フィルター体２１の後端部と先端部との間を移動する際、除塵ブラシ体２４の前後に塵埃前収納部２３ａと塵埃後収納部２３ｂを形成しているので、２次フィルター体２１から落下してきた塵埃を確実に１次フィルター体２２内に収納することが出来る。
【００４４】
尚、上記実施例では、外気取り入れ口１４を本体１の側面に設けたが、目に付きやすい本体１の上面１ｄ或いは、正面１ａに設けるようにすれば、捕集フィルター体１６への塵埃付着具合のチェックがいつでも手軽にでき、必要に応じて塵埃の処理、廃棄が確実におこなわれるようになり、捕集フィルター体１６の目詰まりによる外気導入阻害を確実に防止できる。
【００４５】
（実施例２）
【００４６】
図８は、本発明の第２の実施例における洗濯乾燥機の１次フィルター体の斜視図、図９は、同１次フィルター体の本体への取付図、図１０は、同１次フィルター体を本体から取り出すときの状態を示す図である。尚、上記第１の実施例における洗濯乾燥機と同一部分については、同一符号を付してその説明を省略する。
【００４７】
上記第１の実施例では、１次フィルター体の所定の位置に、除塵ブラシ体を固定するようにしたが、本実施例では、１次フィルター体内で除塵ブラシ体を自由に移動できるようにしたものである。
【００４８】
図８〜図１０において、２８は、本実施の形態における洗濯乾燥機の本体１に設けた２次フィルター体２１に対向するように、本体１に着脱自在に装着される略直方体の１次フィルター体で、一端面に開口部２８ａを有する塵埃収納室２９が形成された１次枠体２８ｂと、１次フィルター体２８が本体１に装着されたときに、２次フィルター体２１に対面するように１次枠体２８ｂの他端面に固着され、吸引される外気に含まれた塵埃を捕集する１次フィルター２８ｃから構成されている。１次枠体２８ｂの両側面には、本体１のガイド溝１ｅでガイドされるガイドリブ２８ｅが設けられている。
【００４９】
３０は、１次枠体２８ｂに上下動自在に支持された除塵ブラシ体で、２次フィルター２１ｂの上流面の全幅に渡って当接すると共に屈曲自在のブラシ３０ａと、ブラシ３０の根元部を保持するブラシ台３０ｂと、一端がブラシ台３０ｂに固着され、他端側は、１次枠体２８ｂの上方に形成された支持部２８ｄ内を可動自在に通過し、他端が、１次枠体２８ｂより突出すなわち、洗濯乾燥機の本体１の外部に露出している連結棒３０ｃと、該連結棒３０ｃの先端に取り付けられた取っ手３０ｄより構成されている。
【００５０】
３０ｆは、ブラシ台３０ｂの上方に形成され内部に空間部３０ｅを有する支持部結合部で、空間部３０ｅの中央には、連結棒３０ｃが内装され、該連結棒３０ｃを引き上げたときに、空間部３０ｅが、１次枠体２８ｂに形成した支持部２８ｄと嵌合するようになっている。
【００５１】
１次フィルター体２８に形成した塵埃収納室２９は、２次フィルター２１ｂと対向する部分に位置する塵埃前収納室２９ａと、２次フィルター２１ｂより、図において下方に位置する塵埃後収納室２９ｂとに分割され、塵埃前収納室２９ａと塵埃後収納室２９ｂとは、１次フィルター２８ｃとブラシ台３０ｂとの間の空間を介して連通している。
【００５２】
２８ｆは、一次枠体２８ｂの底部に形成された突起受け部で、ブラシ台３０ｂの下方に設けられた突起３０ｇを可動自在に支持する。
【００５３】
以上のように構成された本実施例における洗濯乾燥機の１次フィルター２８、２次フィルター２１の清掃時の動作は以下の通りである。
【００５４】
まず、２次フィルター体２１の清掃を行うときは、使用者は、適宜取っ手３０ｄを掴んで、除塵ブラシ体３０を上下動させる。この上下動の動作により、２次フィルター体２１の２次フィルター２１ｂに附着している塵埃は、除塵ブラシ体３０のブラシ３０ａにより、２次フィルター２１ｂの後端部２１ｃから先端部２１ｄ間が繰り返し除塵され、塵埃が塵埃前収納室２９ａと塵埃後収納室２９ｂに落下するので、２次フィルター２１ｂの目詰まりが解消される。
【００５５】
又１次フィルター体２８が塵埃で目詰まり状態になったときは、取っ手３０ｄを持ち、引き上げると、除塵ブラシ体３０が上昇し、２次フィルター２１ｂの塵埃を除塵し、塵埃前収納室２９ａと塵埃後収納室２９ｂに落下集塵させ、さらに取っ手３０ｄを引き上げると、支持部結合部３０ｆが、１次枠体２８ｂに形成した支持部２８ｄと結合して、１次フィルター体２８を本体１から取り外し、１次フィルター２８ｃに附着している塵埃及び塵埃前収納室２９ａと塵埃後収納室２９ｂに収納された塵埃をそれぞれ清掃すれば良い。
【００５６】
１次フィルター体２８の清掃を終えたら、１次枠体２８ｂに設けたガイドリブ２８ｅをガイド溝１ｅ内に上方から差し込み、取っ手３０ｄを押し込むと、まず、除塵ブラシ体３０のブラシ３０ａが、２次フィルター２１ｂの先端部２１ｄから後端部２１ｃに向けて上流面に接触しながら除塵し、突起３０ｇが突起受け部２８ｆに当接すると、１次枠体２８ｂが押し下げられ、１次フィルター体２８が外気取り入れ口１４に確実に収納され、確実に２次フィルター２１の塵埃による目詰まりを解消することができる。
【００５７】
このように、使用者が、本体１内に収納されている２次フィルター２１ｂの清掃を、取っ手３０ｄを上下動させるだけで、容易に清掃できる利点を有している。なお、この時、取っ手３０ｄではなく、連結棒３０ｃの一端を、本体１から露出させておいても、２次フィルター体２１の除塵は出来るものである。
【００５８】
（実施例３）
【００５９】
図１１は、本発明の第３の実施例における洗濯乾燥機の１次フィルター体を収納したときの状態を示す断面図、図１２は、同１次フィルター体を引き出すときの状態を示す図、図１３は、同１次フィルター体を引き出すときの状態を示す部分拡大断面図である。尚、上記実施例における洗濯乾燥機と同一部分については、同一符号を付してその説明を省略する。
【００６０】
上記第１及び第２の実施例では、１次フィルター体を本体の外気取り入れ口に対し上から挿入して取り付けるようにしたが、本実施例は、横から挿入して取り付けるようにしたものである。尚、洗濯乾燥機の基本的な各構成と動作は、前記第１、及び第２の実施例における洗濯乾燥機と同じである。
【００６１】
図１１〜１３において、本実施の形態における洗濯乾燥機の本体１の送風路１７と連通する外気取り入れ口３３は下向きに開口し、その外気取り入れ口３３に設けられた捕集フィルター体３４は、本体１に略水平方向に固着された２次フィルター体３５と、２次フィルター体３５と対向するように、その下方に、且つ本体１に、側方より抜き差し自在に挿着される１次フィルター体３６より構成されている。
【００６２】
２次フィルター体３５は、本体１に固着され略平板状に形成された２次枠体３５ａと、外周囲が、２次枠体３５ａで支持された２次フィルター３５ｂから構成されている。
【００６３】
１次フィルター体３６は、略直方体に構成され側部に取っ手３６ａを形成し、上面に開口部３６ｂを有する塵埃収納室３７が形成された１次枠体３６ｃと、１次フィルター体３６が本体１に装着されたときに、２次フィルター３５ｂに対面するように１次枠体３６ｃの他端面に固着され、吸引される外気に含まれた塵埃を捕集する１次フィルター３６ｄから構成されている。
【００６４】
３８は、先端が２次フィルター３５ｂの全幅に渡って摺接し除塵するブレード状のブラシ３８ａと、ブラシ３８ａの根元部を保持するブラシ台３８ｂとで構成された除塵ブラシ体で、ブラシ台３８ｂは、１次フィルター体３６を外気取り入れ口３３に装着したときに、ブラシ３８ａの先端が、２次フィルター体３５の２次フィルター３５ｂの後端部３５ｃに位置するように、後述する延設部３６ｅに連結されることにより、１次枠体３６ｃに着脱自在に取り付けられている。また、１次枠体３６ｃに形成された塵埃収納室３７は、除塵ブラシ体３８を境に、前側の塵埃前収納室３７ａと、後側の塵埃後収納室３７ｂに分割されている。
【００６５】
本実施例では、塵埃後収納室３７ｂの底面は、１次枠体３６ｃより延設された延設部３６ｅで覆っており、これにより、塵埃後収納室３７ｂの底面から外気が侵入し、２次フィルター３５ｂの細径孔に塵埃が再付着するのを防止している。又、図１３に示すように、１次フィルター３６ｄを引き出す際のブラシ３８ａの撓み代Ｌ１と、塵埃後収納室３７ｂの開口幅Ｌ２との関係を、Ｌ１＜Ｌ２としている。これにより、１次フィルター体３６を引き出す際に、ブラシ３８ａが後方に撓んで、その先端から落下する塵埃を確実に塵埃後収納室３７ｂ内に収納することができる。
【００６６】
以上のように構成された本実施例における洗濯乾燥機の１次フィルター体３６、２次フィルター体３５の清掃時の動作は、以下の通りである。
【００６７】
１次フィルター体３６の清掃を行うために、取っ手３６ａを掴んで、１次フィルター体３６を横方向に引き出す。すると、この引き出し動作時に、１次フィルター体３６に設けた除塵ブラシ体３８のブラシ３８ａが、２次フィルター体３５の２次フィルター３５ｂに摺接して塵埃を除去し、除去された塵埃は、塵埃後収納室３７ｂ、塵埃前収納室３７ａ内に落下し確実に収納される。そして、本体１から引き出した１次捕集フィルター体部分の分解斜視図３６をゴミ箱の上でひっくり返して、塵埃後収納室３７ｂ、塵埃前収納室３７ａ内の塵埃を廃棄すると共に、１次フィルター体３６の１次フィルター３６ｄをブラシなどで清掃する。
【００６８】
以上のように、本実施例によれば、１次フィルター体３６は、本体１に対し横向きに取り付けられているので、１次フィルター体３６を取り出す際に、塵埃後収納室３７ｂや塵埃前収納室３７ａ内の塵埃が、周りに零れ落ちることが無く衛生的である。
【００６９】
また、除塵ブラシ体３８のブラシ台３８ｂを、１次フィルター体３６の１次枠体３６ｃに対し着脱自在としているので、除塵ブラシ体３８が磨耗したときに、簡単にそれが交換でき、便利であると共に、清掃する際も除塵ブラシ体３８のみ簡単に取り外して、容易に水洗い等をすることが出来る。
【００７０】
（実施例４）
【００７１】
図１４は、本発明の第４の実施例における洗濯乾燥機の部分斜視図、図１５は、同洗濯乾燥機の捕集フィルター体部分の分解斜視図、図１６は、同捕集フィルター体の１次フィルターの裏面図、図１７は、図１４のＡ−Ａ断面図である。尚、上記実施例における洗濯乾燥機と同一部分については、同一符号を付してその説明を省略する。
【００７２】
図１４〜１７において、本実施例における洗濯乾燥機の本体１に設けた送風路１７に連通する外気取り入れ口４０は、上記第１の実施例同様本体１の操作部３の近傍の側面１ｂに設けられ、その外気取り入れ口４０に取り付けられた捕集フィルター体４１は、本体１に形成された凹部１ｇに固着された２次フィルター体４２と、２次フィルター体４２に対向するように、本体１に着脱自在に装着される１次フィルター体４３から構成されている。
【００７３】
２次フィルター体４２は、本体１の凹部１ｇに固着された略円盤状の２次枠体４２ａと、２次枠体４２ａの上流側面に固着された２次フィルター４２ｂから構成されている。
【００７４】
１次フィルター体４３は、略直方体状で、端部に取っ手４３ａを有し、下流側に塵埃収納室４４を有する１次枠体４３ｂと、１次枠体４３ｂの上流側面に形成された開口部４３ｃに固着された１次フィルター４３ｄと、１次枠体４３ｂに取着され、１次フィルター体４３を本体１から取り外すとき及び装着するときに２次フィルター体４２の２次フィルター４２ｂの上流側の面に摺接して、２次フィルター４２ｂに付着した塵埃を除去する除塵ブラシ体４５から構成されている。
【００７５】
２次フィルター４２ｂの細径孔の大きさは、第１の実施例同様、１次フィルター４３ｄの細径孔より小さいものである。
【００７６】
４６は、本体１の凹部１ｇに嵌合すると共に、１次フィルター体４３を覆うカバー体で、１次フィルター体４３の開口部４３ｃと対向する位置に格子状の開口部４６ａが形成されており、通常は、本体１の凹部１ｇに嵌合されており、１次フィルター体４３を取り外すときは、カバー体４６の端部の第２の開口部４６ｂより出し入れするようになっている。また、カバー体４６の後方底部には、２次フィルター体４２の下半分を覆う覆い部４６ｃが形成されている。
【００７７】
除塵ブラシ体４５は、２次フィルター４２ｂに摺接するブラシ４５ａと、ブラシ４５ａの根元部を支持すると共に、１次フィルター体４３に着脱自在に取り付けられるブラシ台４５ｂからなり、ブラシ４５ａは、略Ｌ字状で、しかも図１６に示すように、１次フィルター体４３を本体１に装着したときに、２次フィルター体４２の外周の内、後方上部の１／４円に当接する円弧部４５ｃと、２次フィルター体４２の後方半径部分に当接する半径部４５ｄからなり、円弧部４５ｃと半径部４５ｄは途切れず、連なって形成されている。
【００７８】
また、塵埃収納室４４は、ブラシ４５ａの円弧部４５ｃで、前側の、すなわち１次フィルター体４３を引き出す側の塵埃前収納室４４ａと、後ろ側の塵埃後収納室４４ｂとに分割されている。
【００７９】
以上のように構成された本実施例における洗濯乾燥機の１次フィルター体４３、２次フィルター体４２による空気の清浄動作、清掃時の動作は、以下の通りである。
【００８０】
洗濯乾燥機の乾燥運転時には、外気は、カバー体４６の開口部４６ａから流入し、１次フィルター体４３の１次フィルター４３ｄで大きな塵埃が捕集され、２次フィルター体４２の２次フィルター４２ｂで細塵が捕集されて、きれいになった空気が送風路１７に流入する。送風路１７に流入した空気の流れ、作用は、第１の実施例と同じなので、その説明を省略する。
【００８１】
尚、本実施例では、１次フィルター体４３の開口部４３ｃから流入した空気が、２次フィルター体４２の下半分にも流れるようにするため、１次フィルター体４３の１次枠体４３ｂの一部に切り欠き４３ｅを設けている。
【００８２】
そして、１次フィルター体４３が目詰まりしたときは、１次フィルター体４３の取っ手４３ａを掴んで、１次フィルター体４３を本体１から引き出す。この引き出し操作時に、除塵ブラシ体４５のブラシ４５ａの円弧部４５ｃが２次フィルター体４２の上半分の塵埃を除去する。このとき、除去されて落下した塵埃は、塵埃前収納室４４ａに位置するブラシ４５ａの半径部４５ｄの上に溜まる。同時に、後方に撓んだブラシ４５ａの先端の後部から落下した塵埃は、塵埃後収納室４４ｂ内に落下する。
【００８３】
以上のように、１次フィルター体４３を本体１から引き出す際に、２次フィルター体４２が自動的に除塵されと共に、落下した塵埃は、１次フィルター体４３の塵埃前収納室４４ａと塵埃後収納室４４ｂで回収されるので、その塵埃の廃棄が容易にできる。そして外した１次フィルター体４３を一般のブラシなどで清掃すれば良い。
【００８４】
また、１次フィルター体４３の清掃を終えたら、１次フィルター体４３の後端を、カバー体４６の第２の開口部４６ｂから挿入し、押し込むだけで良い。また。この押し込み動作時に、２次フィルター体４２の表面に残っていた塵埃が、ブラシ４５ａにより押されるように除去され、塵埃後収納室４４ｂ内に落下するので、２次フィルター体４２をよりきれいにすることができるものである。
【００８５】
尚、上記第１〜４の実施例では、洗濯機能と乾燥機能を有する洗濯乾燥機を例に、説明したが、衣類乾燥専用の衣類乾燥機に応用しても良い。
【産業上の利用可能性】
【００８６】
以上のように、本発明に係る乾燥機は、通風路内に塵埃を落下させること無く、２次フィルター体の塵埃を、確実に１次フィルター体に回収し、容易に廃棄することが出来るもので、衣類、原材料、食品などを乾燥させる各種乾燥機に応用できるものである。
【図面の簡単な説明】
【００８７】
【図１】本発明の第1の実施例における洗濯乾燥機の斜視図
【図２】同洗濯乾燥機の縦断面図
【図３】同洗濯乾燥機の外気取り入れ口の拡大斜視図
【図４】同洗濯乾燥機の１次フィルター体の斜視図
【図５】同洗濯乾燥機の捕集フィルター体の縦断面図
【図６】同１次フィルター体を本体から外すときの状態を示す縦断面図
【図７】同１次フィルターを本体に装着するときの状態を示す縦断面図
【図８】本発明の第２の実施例における洗濯乾燥機の１次フィルター体の斜視図
【図９】同１次フィルター体の本体への取付図
【図１０】同１次フィルター体を本体から取り出すときの状態を示す図
【図１１】本発明の第３の実施例における洗濯乾燥機の１次フィルター体を収納したときの状態を示す断面図
【図１２】同１次フィルター体を引き出すときの状態を示す図
【図１３】同１次フィルター体を引き出すときの状態を示す部分拡大断面図
【図１４】本発明の第４の実施例における洗濯乾燥機の部分斜視図
【図１５】同洗濯乾燥機の捕集フィルター体部分の分解斜視図
【図１６】同捕集フィルター体の１次フィルターの裏面図
【図１７】、図１４のＡ−Ａ断面図
【図１８】従来の乾燥機の熱風循環路の部分断面図
【図１９】（ａ）同熱風循環路より１次フィルター体を引き出す際の様子を示す部分断面図、（ｂ）同熱風循環路に１次フィルター体をセットする際の様子を示す部分断面図、
【符号の説明】
【００８８】
１    本体
１ｆ  連通路
４    外槽
６    衣類（被乾燥物）
７    内槽
１４、３３、４０  外気取り入れ口
１６、３４、４１  捕集フィルター体
１７    送風路  
１８    送風機
２１、３５、４２  ２次フィルター体
２１ａ、３５ａ，４２ａ  ２次枠体
２１ｂ、３５ｂ、４２ｂ  ２次フィルター
２２、２８、３６、４３  １次フィルター体
２２ｃ、２８ｂ、３６ｃ、４３ｂ  １次枠体
２２ｄ、２８ｃ、３６ｄ、４３ｄ  １次フィルター
２３、２９、３７、４４  塵埃収納室
２３ａ、２９ａ、３７ａ、４４ａ  塵埃前収納室
２３ｂ、２９ｂ、３７ｂ、４４ｂ  塵埃後収納室
２４、３０、３８、４５  除塵ブラシ体
【図１】
2010005097.tif 000003
【図２】
2010005097.tif 000004
【図３】
2010005097.tif 000005
【図４】
2010005097.tif 000006
【図５】
2010005097.tif 000007
【図６】
2010005097.tif 000008
【図７】
2010005097.tif 000009
【図８】
2010005097.tif 000010
【図９】
2010005097.tif 000011
【図１０】
2010005097.tif 000012
【図１１】
2010005097.tif 000013
【図１２】
2010005097.tif 000014
【図１３】
2010005097.tif 000015
【図１４】
2010005097.tif 000016
【図１５】
2010005097.tif 000017
【図１６】
2010005097.tif 000018
【図１７】
2010005097.tif 000019
【図１８】
2010005097.tif 000020
【図１９】
2010005097.tif 000021